(57)【要約】【課題】導光板自体は動くことなく、導光板の加工部分があたかも動いているように見える装飾用表示装置を提供する。【解決手段】少なくともいずれかの主面において円形又は楕円形に形成され、少なくとも一部が透光性を有する凹面からなる凹部２２を備えた導光板２０と、  複数の色を発光可能なＬＥＤが直列に複数配置されており、前記導光板の１つの端面又は両端面に配置された光源部材１０と、を備え、  端部のＬＥＤ１１からＮ番目に配置された前記ＬＥＤの変化するＲＧＢの色をＮ＋１番目に配置された前記ＬＥＤに対して一定時間遅れてＲＧＢの色を発現させて直列に配置された前記ＬＥＤの色が順次移動して見えるように発光させることによって、前記凹部に映しだされた前記ＬＥＤの光によって前記凹部が回転又は回動するように視認可能であることを特徴とする。【選択図】図１
2015076314.tif 000002
【特許請求の範囲】
【請求項１】
少なくともいずれかの主面において円形又は楕円形に形成され、少なくとも一部が透光性を有する凹面からなる凹部を備えた導光板と、
複数の色を発光可能なＬＥＤが直列に複数配置されており、前記導光板の１つの端面又は両端面に配置された光源部材と、を備え、
端部の前記ＬＥＤからＮ番目に配置された前記ＬＥＤの変化するＲＧＢの色をＮ＋１番目に配置された前記ＬＥＤに対して一定時間遅れてＲＧＢの色を発現させて直列に配置された前記ＬＥＤの色が順次移動して見えるように発光させることによって、前記凹部に映しだされた前記ＬＥＤの光によって前記凹部が回転又は回動するように視認可能であることを特徴とする装飾用表示装置。
【請求項２】
前記凹部は、凹面が滑面であることを特徴とする請求項１に記載の装飾用表示装置。
【請求項３】
前記凹部は、球面の一部であることを特徴とする請求項１又は２に記載の装飾用表示装置。
【請求項４】
前記凹部は、前記凹部の中央部の底面が平面又は凸部を有することを特徴とする請求項１から３のいずれか１項に記載の装飾用表示装置。
【請求項５】
前記主面には、表面の凹凸により白濁した円形加工部を備えていることを特徴とする請求項１から４のいずれか１項に記載の装飾用表示装置。
【請求項６】
前記主面には、少なくとも一部が透光性を有する溝が形成されていることを特徴とする請求項１から５のいずれか１項に記載の装飾用表示装置。
【請求項７】
前記主面には、表面の凹凸により白濁した線状加工部を備えていることを特徴とする請求項１から６のいずれか１項に記載の装飾用表示装置。
【請求項８】
請求項１から７のいずれか１項に記載の装飾用表示装置において、
さらに、前記凹部、前記円形加工部、前記溝及び前記線状加工部から選択された少なくとも１つ又は２以上の組み合わせが形成された導光板と、前記導光板の少なくともいずれかの端部に配置された複数のＬＥＤを有する光源部材と、を有する第２装飾用表示装置と、を備え、
前記第２装飾用表示装置の前記導光板が前記装飾用表示装置の導光板に平行に配置されていることを特徴とする装飾用表示装置
【請求項９】
前記第２装飾用表示装置の前記光源部材は、端部の前記ＬＥＤからＮ番目に配置された前記ＬＥＤの変化するＲＧＢの色をＮ＋１番目に配置された前記ＬＥＤに対して一定時間遅れてＲＧＢの色を発現させて直列に配置された前記ＬＥＤの色が順次移動して見えるように発光させることが可能であることを特徴とする請求項８に記載の装飾用表示装置。
【請求項１０】
前記凹部は、前記凹部の直径より小さい直径のボールエンドミルを主面における前記凹部の円形の外周に沿って移動することにより、切削加工して形成されていることを特徴とする請求項１から９のいずれか１項に記載の装飾用表示装置。
【請求項１１】
前記光源部材は、計時手段と、前記計時手段に基づいて前記複数のＬＥＤの光源の光の色をそれぞれ順次変化させる発光色制御手段を有していることを特徴とする請求項１から１０のいずれか１項に記載の装飾用表示装置。
【発明の詳細な説明】
【技術分野】
【０００１】
本発明は、装飾用表示装置に関する。
【背景技術】
【０００２】
従来、本発明者は、表示装置として、遮蔽領域と表示領域と非加工領域とを備えている導光板を有するものを開示している。この導光板は、遮蔽領域が複数の四角錐型拡散ドットが裏面側に形成されており、表示領域は規則的に配置された複数の平面型拡散ドット又は拡散溝と、これらの輪郭位置に設けられた輪郭溝とが裏面に形成されている（特許文献１）。
【０００３】
かかる表示装置によれば、光が導光板の側面から入射していない場合は後方を視認可能であり、光が入射している場合は後方を視認しづらくなる遮蔽領域を有する。そのため後方側を視認できるようにしたり、視認できないようにしたりすることができるという点で有効な発明である。
【０００４】
しかし、かかる発明は、導光板は静体物であり、動きを演出することはできない表示装置であった。
【先行技術文献】
【特許文献】
【０００５】
【特許文献１】特開２０１３−２５３０６号公報
【発明の概要】
【発明が解決しようとする課題】
【０００６】
本発明は、かかる課題を解決するためになされたものであり、導光板自体は動くことなく、導光板の加工部分があたかも動いているように見える装飾用表示装置を提供することを主たる目的とする。
【課題を解決するための手段】
【０００７】
本発明は、上述の目的を達成するために以下の手段を採った。
【０００８】
本発明にかかる装飾用表示装置は、少なくともいずれかの主面において円形又は楕円形に形成され、少なくとも一部が透光性を有する凹面からなる凹部を備えた導光板と、
複数の色を発光可能なＬＥＤが直列に複数配置されており、前記導光板の１つの端面又は両端面に配置された光源部材と、を備え、
端部のＬＥＤからＮ番目に配置された前記ＬＥＤの変化するＲＧＢの色をＮ＋１番目に配置された前記ＬＥＤに対して一定時間遅れてＲＧＢの色を発現させて直列に配置された前記ＬＥＤの色が順次移動して見えるように発光させることによって、前記凹部に映しだされた前記ＬＥＤの光によって前記凹部が回転又は回動するように視認可能であることを特徴とするものである。
【０００９】
本発明にかかる装飾用表示装置は、直列に配置されたＬＥＤから出射される光の色が端から順次時間差で変化するため、色変化により導光板に入射される光は導光板上を移動しているように視認される。導光板には、主面に開口が円形又は楕円に形成され、少なくとも一部が透光性を有する凹面からなる凹部を備えているので、この流れるように見える光が凹部の凹面に沿うように移動して見える。そのため、凹部を視認した場合に凹部があたかも回転しているかのように視認させることができる。また、凹部は凹面で形成されるため立体感をも創出することができる。このように本発明にかかる装飾用表示装置は、静体物でありながら、凹部が動いていており、動体部を有するかのような印象を与えることができる。こうして、従来にはない新規な装飾的効果を奏する装飾用表示装置を提供することができる。
【００１０】
さらに、本発明にかかる装飾用表示装置において、前記凹部は、凹面が滑面であることを特徴とするものであってもよい。滑面とすることによって凹面がまるで鏡面のように反射し、光が照射された凹面が高いコントラストを有した高輝度部分を作り出すため、より凹部が強調され、かつ回転が強調されて視認させることができる。
【００１１】
さらに、本発明にかかる装飾用表示装置において、前記凹部は、球面の一部であることを特徴とするものであってもよい。かかる構成を採用することによって、よりスムーズに回転しているように視認させることができる。また、凹部において奥行き感が強く出るため、三次元的な動きが視認でき、より立体感のある印象を与えることができる。
【００１２】
また、本発明にかかる装飾用表示装置において、前記凹部は、前記凹部の中央部の底面が平面又は凸部を有することを特徴とするものであってもよい。かかる構成を採用することによって、凹部の周囲は大きく回転するように視認させることができるとともに、中央底面は異なる動きに視認させたり、動きが止まったように視認させたりといった周囲と異なる動きを創出することができる。これにより、導光板の装飾的効果を向上させることができる。
【００１３】
さらに、本発明にかかる装飾用表示装置において、前記主面には、表面の凹凸により白濁した円形加工部を備えていることを特徴とするものであってもよい。かかる円形加工部は凹凸により白濁した表面を有しているので、直列に配置されたＬＥＤから出射される光の色が端から順次時間差で変化させ、色変化により導光板に入射される光が導光板上を移動しているように視認させた場合であっても、光が回転して視認されることはなく、光の色が導光板上の移動と同様に移動して見える。この際に円形加工部の凹凸によって拡散、屈折等が起きるため、周囲の導光板と比較して明るく明瞭に光って視認される。かかる構成を採用することによって、立体的に回転して見える凹部と、平面的であり、光が順次移動して見える円形加工部とによって、異なる表現を行うことができ、より装飾的効果を向上させることができる。
【００１４】
さらに、本発明にかかる装飾用表示装置において、前記主面には、少なくとも一部が透光性を有する溝が形成されていることを特徴とするものであってもよい。かかる溝を作製することによって、溝は立体的であるので溝の表面に沿って光が移動する際に、複雑に移動しているように視認させることができる。これにより、さらに異なる光の表現方法を有する装飾用表示装置を提供することができる。
【００１５】
さらに、本発明にかかる装飾用表示装置において、前記主面には、表面の凹凸により白濁した線状加工部を備えていることを特徴とするものであってもよい。かかる構成を有することによって、光源部材からの光の色が順次移動して流れるように移動しているように出射された際に、光が線状加工部を順次移動しているように視認させることができる。これにより、さらに異なる光の表現方法を有する装飾用表示装置を提供することができる。
【００１６】
さらに、本発明にかかる装飾用表示装置の組み合わせにおいて、前述した本発明にかかる装飾用表示装置と、前記凹部、前記円形加工部、前記溝及び前記線状加工部から選択された少なくとも１つ又は２以上の組み合わせが形成された導光板と、前記導光板の少なくともいずれかの端部に配置された複数のＬＥＤを有する光源部材と、を有する第２装飾用表示装置と、を備え、前記第２装飾用表示装置の前記導光板が前記装飾用表示装置の導光板に平行に配置されていることを特徴とするものであってもよい。かかる構成を採用することによって、上述した効果をすべて有する装飾用表示装置と第２装飾用表示装置とにより、異なる表現を創出することができ、より効果的な装飾的効果を奏するものとすることができる。さらに、導光板を平行に並べることによって、１つの装飾用表示装置を使用した場合と比較して、より奥行き感が創出することができ、立体的な印象を与える装飾用表示装置とすることができる。
【００１７】
さらに、本発明にかかる装飾用表示装置において、前記第２装飾用表示装置の前記光源部材は、端部のＬＥＤからＮ番目に配置された前記ＬＥＤの変化するＲＧＢの色をＮ＋１番目に配置された前記ＬＥＤに対して一定時間遅れてＲＧＢの色を発現させて直列に配置された前記ＬＥＤの色が順次移動して見えるように発光させることが可能であることを特徴とするものであってもよい。かかる構成を採用することによって、第２装飾用表示装置の導光板内も光が流れるように視認させることができ、装飾用表示装置と第２装飾用表示装置の両方の導光板に対して動きがある導光板を創出することができる。例えば、装飾用表示装置と第２装飾用表示装置とで、移動する光のＲＧＢの順序を変更したり、流れる速さを変更したり、流れる方向を逆にしたりすることで、様々な印象の異なる装飾用表示装置とすることができる。
【００１８】
さらに、本発明にかかる装飾用表示装置において、前記凹部は、前記凹部より小さい直径のボールエンドミルを主面における前記凹部の円形の外周に沿って移動することにより、切削加工して形成されていることを特徴とするものであってもよい。かかる方法によって加工された凹部とすることで、円形の凹部や中心に平面部や凸部を有する凹部を容易に作製することができる。
【００１９】
さらに、本発明にかかる装飾用表示装置において、前記光源部材は、計時手段と、前記計時手段に基づいて前記複数のＬＥＤの光源の光の色をそれぞれ順次変化させる発光色制御手段を有していることを特徴とするものであってもよい。かかる光源部材を採用することで、より滑らかに光が移動しているように視認させることができる。
【発明の効果】
【００２０】
さらに、本発明にかかる装飾用表示装置によれば、導光板の一部が回転しているかのように視認させることができる装飾用表示装置を提供することができる。
【図面の簡単な説明】
【００２１】
【図１】図１は、第１実施形態にかかる装飾用表示装置１００ａの斜視図である。
【図２】図２は、第１実施形態にかかる導光板２０の断面図である。
【図３】図３は、第１実施形態にかかる装飾用表示装置１００ａに光源部材１０から光を出射した場合の凹部２２の視認性を説明する説明図である。
【図４】図４Ａは、第２実施形態にかかる装飾用表示装置１００ｂの斜視図であり、図４Ｂは、第２実施形態にかかる導光板２０の断面図である。
【図５】図５は、第１実施形態にかかる装飾用表示装置１００ａに光源部材１０から光を出射した場合の円形加工部２３の視認性を説明する説明図である。
【図６】図６は、第３実施形態にかかる装飾用表示装置１００ｃの斜視図である。
【図７】図７は、第４実施形態にかかる第２装飾用表示装置１００ｄの斜視図である。
【発明を実施するための形態】
【００２２】
以下、図面を用いて、装飾用表示装置１００ａの実施形態について詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。各図において対応する構成要素には同一又は類似の符号が付されている。
【００２３】
図１には、第１実施形態にかかる装飾用表示装置１００ａの斜視図が示されている。第１実施形態にかかる装飾用表示装置１００ａは、図１に示すように、主として、光源部材１０及び導光板２０とを備えている。
【００２４】
光源部材１０は、複数の発光ダイオード（以下「ＬＥＤ１１」という。）と、これら複数のＬＥＤ１１を直列に配置する基板１２と、基板１２を保持する光源保持部材１３と、を備えている。ＬＥＤ１１は、平面発光型、側面発光型、砲弾型等いずれのタイプであってもよい。好ましくは、平面発光型を使用するとよい。ＬＥＤ１１は、複数の色を発光可能なＬＥＤが使用される。例えば、光の三原色である赤色、緑色及び青色を発光可能ないわゆるマルチチップ方式のフルカラーＬＥＤによって、これらの単独発光又は混光による発光によって複数の色を発光可能であり、各光源の光色が制御可能なＬＥＤ１１が使用される。これらＬＥＤ１１は、直列に配置されたＬＥＤの端部から順次色が移動するように発光される。例えば、ＬＥＤ１１は、それぞれ計時手段と、この計時手段に基づいて複数のＬＥＤの光源の光の色をそれぞれ順次変化させる発光色制御手段（図示しない。）を有しており、一方の端部からＮ番目に配置されたＬＥＤ１１が発光したＲＧＢの色を、Ｎ＋１番目のＬＥＤ１１が一定時間、例えば１秒後に遅れて同じＲＧＢの色を発光するように制御されており、同じＲＧＢ色が端部のＬＥＤ１１から隣接するＬＥＤ１１へ光が順次移動していくようにされる。このような光を後述する導光板の端面から入射すると、光が導光板上を移動しているように視認される。この状況を連続して行うことで様々に変化する光が順次絶え間なく移動しているように視認させることができる。なお、各ＬＥＤ１１の色のＲＧＢの変化量、変化速度、変色順番等は特に限定するものではない。
【００２５】
光源保持部材１３は、基板１２を保持し、導光板２０に固定するための部材である。光源保持部材１３は、ＬＥＤ１１が貼着される底面１３ａ及びこの底面１３ａの両側から立設配置される側面１３ｂを有する断面略Ｕ字状に形成される。
【００２６】
なお、光源部材１０は、ウレタンやシリコン等で被覆して防水加工を施すことが好ましい。なお、電源としては、太陽電池や太陽電池で得られた電気を蓄電した蓄電池を用いても構わない。これら太陽電池等を用いることで、環境にやさしい装飾用表示装置１００ａとすることができる。
【００２７】
導光板２０は、図１に示すように、矩形の平板状に形成されてなり、光源部材１０が少なくともいずれかの端面又は両端面に配置され、この光源部材１０からの光が端面から入射されて、主として主面２１から光を出射する。本実施形態においては、ＲＧＢの色が同期された光を出射する光源部材１０が上端面２０ａ及び下端面２０ｂの２つの端面に配置され、両端面から光が入射されて主として正面の主面２１から出射する。導光板２０は、光が内部を通過可能な透明な樹脂で作製されており、例えば、メチルメタクリレートやエチルメタクリレート等のメタクリル樹脂の他、メチルアクリレート、エチルアクリレート等のアクリル製樹脂、ポリカーボネート、ポリエチレン、ガラス等の種々の素材を用いることができる。高透過性を有する素材であれば特に限定するものではない。なお、本実施形態においては、光源部材１０は両端面に配置し、それぞれの光源部材１０は同期した光を出射するものとしたが、必ずしも同期した光ではなく異なる色を発光させたり、ＲＧＢの変化量、変化速度、変色順番等が異なるものにしたりしてもよい。また、必ずしも両端面に取り付ける必要はなく、一方端面にのみ配置しても構わない。
【００２８】
かかる導光板２０の主面２１のうち少なくともいずれかの主面２１又は両方の主面２１に凹部２２が形成される。より視認する者に明るく見せるために好ましくは視認する側と反対側の主面２１に形成するとよい。本実施形態においては背面側の主面２１に凹部２２が形成されている。凹部２２は主面２１において円形、すなわち、開口部２２ａが円形に形成されている。凹部２２の表面を形成する凹面２２ｂは、図２Ａに示すように、導光板２０に立体的に凹むように半球面に形成されており、凹部２２の表面は少なくとも１部が透光性を有する。また、凹部２２の透光性とは、光が一部透過するものであってもよいが、好ましくは完全に透明であるとよい。凹部２２の深さは、特に限定するものではないが、２．０ｍｍ以上に形成するとよい。２．０ｍｍ以上の深さを有する凹部２２とすることで、凹面２２ｂに対して光が角度を有して入射し、屈折又は反射しやすくなる。凹部２２に入射された光は、隣接するＬＥＤ１１からの光が混色することなく、個々の光の色が認識されやすいものとなる。光が凹面２２ｂを移動するときに、図３に示すように、ＬＥＤ１１の光が１１ａ、１１ｂ、１１ｃ、１１ｄ、１１ｅと移動すると凹部２２で反射又は屈折して光が出射されて視認できる凹部２２の位置が２２α、２２β、２２γ、２２δ、２２εと移動することになる。この際に凹部２２は、透光性を有するため、光の反射する場所の距離感がつかみにくくなり、まるで凹面２２ｂ自体が動いているかのように視認させることができる。そして、光が凹面２２ｂに沿って移動する際に、凹面２２ｂは半球体をしているため、凹面２２ｂを回転又は回動するように光が移動するため、視る者にとってはあたかも凹部２２自体がくるくると回転しているか又は回動しているように見せることができる。なお、図３は、あくまで原理を説明するための図であり、実際には、凹面２２ｂに反射する光は複雑であり、図面の２２α、２２β、２２γ、２２δ、２２εのように必ずしも円形に視認できるものではないし、光の流れも５つの状態に分離されるものではなくよりスムーズに移動する。
【００２９】
なお、凹部２２は、凹面２２ｂが滑面となるように形成するとよい。滑面で形成することによって、光が凹面２２ｂに沿ってよりスムーズに流れるように移動しているように視認させることができる。また、平滑面とすることによって凹面がまるで鏡面やレンズ面のように屈折、反射し、光が照射された凹面が高いコントラストを有した高輝度部分を作り出すため、凹部が強調され、さらに回動又は回転しているように視認させることができる。さらに、鏡面やレンズ面のように形成することで、凹部２２に入射された光は、隣接するＬＥＤ１１からの光が混色することなく、より個々の光が屈折、反射してそれぞれの色が認識されやすいものとなる。さらに、凹部２２の形態としては、開口部２２ａは円形に限定するものではなく、楕円形であってもよい。また凹部２２の凹面２２ｂは、図２Ｂに示すように断面が円の一部をなす球面の一部であってもよいし、図２Ｃに示すように断面が楕円を有する楕円体面であってもよいし、図２Ｄに示すように断面が放物線を有する放物面であってもよい。このような凹面２２ｂであっても光が凹面２２ｂを回転するように光が移動して凹部２２が回転するように視認させることができる。また、図２Ｅに示すように凹部２２の凹面２２ｂの周囲２２ｃが球面をなし、底面２２ｄが平面を有する凹面を有する凹部２２であってもよいし、図２Ｆに示すように、凹部２２の凹面２２ｂの周囲２２ｃが球面をなし、底面２２ｄが凸部を有する凹部２２であってもよい。このような凹部２２の場合には、中心に回転しない部位がありその周囲のみが回転するかのように視認させることができる。
【００３０】
これら凹部２２を作製するには、レーザー加工、切削加工又は超音波加工等種々の手段を採用することができる。好ましくは、ボールエンドミルを用いて切削加工するとよい。この際に、例えば、開口部がΦ１０ｍｍで深さが４ｍｍの凹部を形成する場合には、１０ｍｍの直径を有するボールエンドミルで作製するのではなく、例えば８ｍｍの直径のボールエンドミルや６ｍｍの直径のボールエンドミル等の凹部の開口部の直径より小さいボールエンドミルを用いて、主面における凹部の円形の外周に沿って移動することにより、切削加工するとよい。このように作製することで、凹面２２ｂと主面２１との境のエッジがするどい凹部を作製することができるとともに、より凹面２２ｂを滑らかに作製することができる。また、図２Ｅに示す凹面２２ｂの周囲２２ｃが球面をなし、底面２２ｄが平面を有する凹面を有する凹部２２や、図２Ｆに示す凹面２２ｂの周囲２２ｃが球面をなし、底面２２ｄが凸部を有する凹部２２を容易に作製することができる。
【００３１】
以上のように作製された光源部材１０と導光板２０は、図１に示すように、外枠４０によって固定され、所定の場所に設置される。なお、外枠４０の形態は特に限定するものではなく、装飾用表示装置１００ａの取り付け場所、取り付け方法等によって種々の外枠を使用することができる。
【００３２】
こうして作製された装飾用表示装置１００ａは、光源部材１０から出射される光が順次流れるように移動することによって、凹部２２の凹面２２ｂの光る位置が順次移動するため、凹部２２がまるで回転又は回動しているかのように視認させることができる。こうして、導光板２０自体が動く場所はないが、あたかも凹部２２が回転又は回動しているかのような装飾的効果を有する装飾用表示装置１００ａを提供することができる。
【００３３】
（第２実施形態）
第２実施形態にかかる装飾用表示装置１００ａが図４Ａに示されている。第２実施形態にかかる装飾用表示装置１００ａは第１実施形態にかかる装飾用表示装置１００ａにかかる導光板２０に形成された主面２１に凹部２２に加え、さらに、主面２１に円形加工部２３が形成されている点が異なる。
【００３４】
円形加工部２３は、図４Ｂに示すように、切削又はレーザー加工等によって表面に凹凸が形成された平面に形成され、光源部材１０からの光が入射されていない状態で視認した場合には白濁して視認される。円形加工部２３の深さは、凹部２２の深さに対して浅く形成される。円形加工部２３の深さは、１ｍｍ以下、より好ましくは０．５ｍｍ以下の深さに形成するとよい。円形加工部２３は、光源部材１０から出射された光を凹凸によって拡散するため、他の主面と比較して明瞭に光って視認される。また、円形加工部２３は、光が凹凸によって拡散するため、それぞれのＬＥＤ１１の光の色が個別に視認されづらく、各ＬＥＤ１１の色が混色された状態で見えやすくなる。さらに、この円形加工部２３は、凹面２２ｂではなく凹凸が形成された平面であるため、図５に示すように、円形加工部２３に照射された範囲全体に渡って色が順次移動していくように視認され、凹部２２のように回転するように視認されることはない。そのため、凹部２２による回転による動きと、円形加工部２３による色の移動による動きとで異なる２つの光の動きを表すことができ、より装飾的効果が向上された装飾用表示装置１００ｂとすることができる。
【００３５】
（第３実施形態）
第３実施形態にかかる装飾用表示装置１００ｃが図６に示されている。第３実施形態にかかる装飾用表示装置１００ｃは、第２実施形態の装飾用表示装置１００ｂにかかる導光板２０に対して、主面２１に形成された凹部２２及び円形加工部２３に加えて、さらに溝２４及び線状加工部２５を備えている点が異なる。溝２４は、断面が半円形になる凹状に加工された溝２４であり、その表面は透光性を有する。そのため光が曲面を有する溝２４を移動する際に左右方向のみでなく上下方向及び斜め方向等にも光の色が移動し、複雑な動きを伴いつつ横方向へ移動するように視認される。また、溝２４の深さは、特に限定するものではないが、２．０ｍｍ以上に形成するとよい。２．０ｍｍ以上の深さを有する溝２４とすることで、溝２４に光が角度を有して入射し、屈折又は反射しやすくなる。溝２４に入射された光は、隣接するＬＥＤ１１からの光が混色することなく、個々の光の色が認識されやすいものとなる。一方、線状加工部２５は、切削又はレーザー加工等によって表面に凹凸が形成された平面に形成されている。線状加工部２５は、光源部材１０からの光が入射されていない状態で視認した場合には白濁して視認される。線状加工部２５は、光源部材１０から出射された光を凹凸によって拡散するため明瞭に視認される。また、この線状加工部２５の深さは、１ｍｍ以下、より好ましくは０．５ｍｍ以下の深さに形成するとよい。この線状加工部２５は、円形加工部２３と同様に表面が凹凸で形成されるため光が拡散し、それぞれのＬＥＤ１１の光の色が個別に視認されづらく、各ＬＥＤ１１の色が混色された状態で見えやすくなる。また、溝２４の表面をより平滑面に形成することで、表面がより鏡面やレンズ面のように形成され、溝２４に入射された光は、隣接するＬＥＤ１１からの光が混色することなく、より個々の光が屈折、反射してそれぞれの色が認識されやすいものとなる。この線状加工部２５は、凹面２２ｂではなく凹凸が形成された平面であるため、線状加工部２５に照射された範囲全体に渡って光の色が線を順次移動していくように視認される。こうして、凹部２２及び円形加工部２３に加え、さらに２つの異なる色の動きを表現することができ、より装飾効果の高い装飾用表示装置とすることができる。
【００３６】
なお、第３実施形態において、溝２４と線状加工部２５は、曲線状に形成したが、直線であってもよい。また横方向に溝２４及び線状加工部２５を設けたが、縦方向であってもよい。
【００３７】
なお、第３実施形態において、溝２４と線状加工部２５の両方が形成されている実施形態を説明したが、必ずしも両方形成しなければならないものではなく、溝２４と線状加工部２５のいずれか一方のみ形成してもよい。
【００３８】
（第４実施形態）
第４実施形態にかかる装飾用表示装置が図７に示されている。第４実施形態にかかる装飾用表示装置は、第２実施形態にかかる装飾用表示装置１００ｂとさらに別の第２装飾用表示装置１００ｄが平行に配置されている。装飾用表示装置１００ｂは第２実施形態と同様であるので説明を省略する。
【００３９】
第２装飾用表示装置１００ｄは、主として、装飾用表示装置１００ｂと同様に形成された、光源部材１０及び導光板２０とを備えている。光源部材１０及び導光板２０は、第１実施形態と同様であるので説明を省略する。
【００４０】
第２装飾用表示装置１００ｄは、溝２４及び線状加工部２５が形成されている。このため、第２装飾用表示装置１００ｄは、光が曲面を有する溝２４を移動する際に左右方向のみでなく上下方向及び斜め方向にも光の色が移動し、複雑な動きを伴いつつ横方向へ移動するように視認される溝２４と、照射された範囲全体に渡って色が線状を順次移動していく線状加工部２５とで、全体として横方向への動きが視認できる装飾的効果を発揮する。
【００４１】
こうして作製された第２装飾用表示装置１００ｄは、第２実施形態かかる装飾用表示装置１００ｂの正面側に、装飾用表示装置１００ｂの導光板２０と第２実施形態にかかる導光板２０が平行となるように配置される。これにより、裏面側に配置される装飾用表示装置１００に存在する凹部２２、円形加工部２３による円形模様による装飾効果と、前側に配置される第２装飾用表示装置１００ｄの溝２４及び線状加工部２５の横方向の動きによる装飾効果とが相まってさらに装飾効果を発揮することができる。特に２つの装飾用表示装置１００ｂ、１００ｄを重ねることで、奥行き感のある装飾用表示装置とすることができる。
【００４２】
なお、第４実施形態において、第２装飾用表示装置１００ｄの光源部材１０は、一方の端部からＮ番目に配置されたＬＥＤ１１が発光したＲＧＢの色を、Ｎ＋１番目のＬＥＤ１１が一定時間遅れて同じＲＧＢの色を発光するように制御されているものであるが、その一定時間は、装飾用表示装置１００ｂのＬＥＤの時間よりも長くしてもよいし、短くしてもよい。かかる構成を採用することで、装飾用表示装置１００ｂと第２装飾用表示装置１００ｄとで色が異なる速さで流れるように表現することができ、装飾的効果を向上させることができる。
【００４３】
また、第４実施形態において、第２装飾用表示装置１００ｄの光源部材１０は、一方の端部からＮ番目に配置されたＬＥＤ１１が発光したＲＧＢの色を、Ｎ＋１番目のＬＥＤ１１が一定時間遅れて同じＲＧＢの色を発光するように制御されているものであるが、第２装飾用表示装置１００ｄの光源装置は、一定の色を発色するものであっても構わないし、全てのＬＥＤ１１が同じタイミングで色を変化させてもよい。かかる構成を採用することによって、装飾用表示装置と第２装飾用表示装置１００ｄとで異なる発光状態を表現することができ、装飾的効果を向上させることができる。
【００４４】
また、第４実施形態において、第２装飾用表示装置１００ｄは、溝２４及び線状加工部２５を形成したが、これに限定するものではなく、凹部２２、円形加工部２３、溝２４及び線状加工部２５のいずれか１つ又は２以上の組み合わせであってもよい。これにより、様々な表現を行うことができ、装飾的効果を向上させることができる。
【００４５】
なお、本発明は上述した各実施形態に何ら限定されることはなく、本発明の技術的範囲に属する限り種々の態様で実施し得ることはいうまでもない。
【００４６】
実施形態においては、導光板２０に、凹部２２、円形加工部２３、溝２４及び線状加工部２５を形成するものとしたが、装飾用表示装置１００ａ〜１００ｃにおいては、凹部２２が形成されていれば、その他の構成、例えば円形以外の三角錐や四角錐のようなドットや四角形の加工部等が設けられていても良い。また、第２装飾用表示装置１００ｄにおいては、任意の加工が導光板の主面に施されたものを使用することができる。
【産業上の利用可能性】
【００４７】
上述した実施の形態で示すように、装飾用の表示装置として利用することができる。
【符号の説明】
【００４８】
０…光源部材、１１…ＬＥＤ、１２…基板、１３…光源保持部材、
１３ａ…底面、１３ｂ…側面、２０…導光板、２０ａ…上端面、
２０ｂ…下端面、２１…主面、２２…凹部、２２ａ…開口部、２２ｂ…凹面、
２２ｃ…周囲、２２ｄ…底面、２３…円形加工部、２４…溝、
２５…線状加工部、４０…外枠、１００ａ，１００ｂ，１００ｃ…装飾用表示装置、
１００ｄ…第２装飾用表示装置
【図１】
2015076314.tif 000003
【図２】
2015076314.tif 000004
【図３】
2015076314.tif 000005
【図４】
2015076314.tif 000006
【図５】
2015076314.tif 000007
【図６】
2015076314.tif 000008
【図７】
2015076314.tif 000009